(57)【要約】      （修正有）【課題】避難用梯子の足場となる横桟の避難者の足裏に当接する部分を、平板部と傾斜面部との２面で構成して、横桟の幅を従来より減少させ、コンパクトに短縮でき、収納の容易な避難用梯子の横桟を提供する。【解決手段】避難用梯子の足場となる横桟３が、避難時に避難者の姿勢が背後に傾くことを考慮して、前記横桟の上面を形成する平板部３ａと、該平板部の幅方向の両端から、いずれも梯子部材の前面方向にかつ下方に向けて傾斜させて設けられた２つの傾斜板部３ｂ，３ｂ’と、該２つの傾斜板部の端部に垂設され前記の横桟の前面及び背面となる２つの垂直板部３ｃ，３ｃ’と、該２つの垂直板部を連結して横桟の底面となる平板部３ｄとが、一体成型されてなる長尺の筒状体で形成されてなる。【選択図】図１
0003173071.tif 000002
【実用新案登録請求の範囲】
【請求項１】
左右一対の柱材（２）と、その下端部に装着され避難用梯子の足場となる横桟（３）とで構成される梯子部材（１）を複数個前後方向に重ね合わせて上下方向に摺動自在にしてなる避難用梯子において、
前記避難用梯子の足場となる横桟（３）が、避難時に避難者の姿勢が背後に傾くことを考慮して、前記横桟の上面を形成する平板部（３ａ）と、前記平板部（３ａ）の幅方向の両端から、いずれも梯子部材（１）の前面方向にかつ下方に向けて傾斜させて設けられた２つの傾斜板部（３ｂ、３ｂ’）と、前記２つの傾斜板部（３ｂ、３ｂ’）の端部に垂設され前記の横桟の前面及び背面となる２つの垂直板部（３ｃ、３ｃ’）と、前記２つの垂直板部（３ｃ、３ｃ’）を連結して横桟の底面となる平板部（３ｄ）とが、一体成型されてなる長尺の筒状体であることを特徴とする避難用梯子の横桟。
【請求項２】
前記避難用梯子の足場となる横桟（３）が、その上面の平板部（３ａ）に滑り止めの溝（３１）を、梯子部材（１）の前面側に位置する傾斜板部（３ｂ）に滑り止めの凸条（３２）を設けてなることを特徴とする請求項１に記載の避難用梯子の横桟。
【請求項３】
前記筒状体である横桟（３）の中空部内に、底面を形成する平板部（３ｄ）から前記柱材（２）に設けられた板状の横桟取付部を前記横桟（３）の両端部に挿入する際の挿入溝（３４）を形成する突起（３３）が設けられてなることを特徴とする請求項１又は２に記載の避難用梯子の横桟。
【請求項４】
前記横桟（３）の前面を形成する垂直板部（３ｃ）の下端部に、延伸降下した避難用梯子を巻き上げて短縮する際、後方に位置する梯子部材（１）の横桟（３）が前方に位置する梯子部材（１）の横桟（３）の下面に当接して順次下段から押し上げて短縮できるよう、前方に向かって２〜４ｍｍ突出した突出部（３ｅ）を備えてなることを特徴とする請求項１〜３のいずれか１項に記載の避難用梯子の横桟。
【考案の詳細な説明】
【技術分野】
【０００１】
本考案は、避難用梯子の足場となる横桟の構造に関する。
【背景技術】
【０００２】
オフィスビルやマンション、一般住宅等の建物のベランダや窓際、あるいは屋上に設置され、火災や地震発生時等の緊急避難時に建物の上階から避難するのに使用される避難用梯子については、これまでに数多くの発明が開示されている。
そして、それら発明の多くは、通常は短縮して収納し、緊急避難時に延伸降下して避難用梯子としての機能を発揮させるための伸縮構造に係わるものであって、避難時に避難者の足裏に当接する足場としての横桟については特段の発明は見られず、いずれも平板状で足裏に痛痒を感じさせない程度の幅を有するものとなっている。
例えば特許文献１に記載の横桟は面取りはされているもののほぼ角筒状であり、その幅は２５ｍｍと記載されており、避難用梯子の段数が多くなると、短縮した際この横桟が横一列に並ぶとその合計幅が増大し、収納や取り扱いにおいて不便をもたらすおそれがある。そこで、特許文献１の避難用梯子では、その〔図１２〕に示されているように、前記横桟の一部が互いに上下に重なり合うようにして、前記横桟の合計幅を縮小するよう構成されている。
また、特許文献２に記載の足場用連結材（本願の横桟に相応）は、平板の幅方向の両端から下方に向かってリム部を設けたものとなっている。
【先行技術文献】
【特許文献】
【０００３】
【特許文献１】特開２００３−７０９２２号公報
【特許文献２】特開２００８−１０１３４０号公報
【考案の概要】
【考案が解決しようとする課題】
【０００４】
本考案は、上記背景技術に鑑みてなされたもので、避難時に避難者の姿勢が背後に傾くことを考慮し、避難者の足裏に当接する横桟の構造を、従来の平板一辺倒から平板部と傾斜面部との２面で構成して足裏に痛痒を感じさせない面積を確保するとともに、横桟の幅を従来より減少させ、コンパクトに短縮でき、収納の容易な避難用梯子が構成できる横桟を提供する。
【課題を解決するための手段】
【０００５】
本考案者は上記課題を下記の手段により解決した。
（１）左右一対の柱材と、その下端部に装着され避難用梯子の足場となる横桟とで構成される梯子部材を複数個前後方向に重ね合わせて上下方向に摺動自在にしてなる避難用梯子において、
前記避難用梯子の足場となる横桟が、避難時に避難者の姿勢が背後に傾くことを考慮して、前記横桟の上面を形成する平板部と、前記平板部の幅方向の両端から、いずれも梯子部材の前面側にかつ下方に向けて傾斜しさせて設けた２つの傾斜板部と、前記２つの傾斜板部の端部に垂設され前記の横桟の前面及び背面となる２つの垂直板部と、前記２つの垂直板部を連結して横桟の底面となる平板部とが、一体成型されてなる長尺の筒状体であることを特徴とする避難用梯子の横桟。
【０００６】
（２）前記避難用梯子の足場となる横桟が、その上面の平板部に滑り止めの溝を、梯子部材の前面側に位置する傾斜板部に滑り止めの凸条を設けてなることを特徴とする前項（１）に記載の避難用梯子の横桟。
【０００７】
（３）前記筒状である横桟の中空部内に、底面を形成する平板部から前記柱材に設けられた板状の横桟取付部を前記横桟の両端部に挿入する際の挿入溝を形成する突起が設けられてなることを特徴とする前項（１）又は（２）に記載の避難用梯子の横桟。
【０００８】
（４）前記横桟の前面を形成する垂直板部の下端部に、延伸降下した避難用梯子を巻き上げて短縮する際、後方に位置する梯子部材の横桟が前方に位置する梯子部材の横桟の下面に当接して順次下段から押し上げて短縮できるよう、前方に向かって２〜４ｍｍ突出した突出部を備えてなることを特徴とする前項（１）〜（３）のいずれか１項に記載の避難用梯子の横桟。
【考案の効果】
【０００９】
本考案の避難用梯子の横桟によって、下記の効果が発揮される。
〈１〉前記避難用梯子の足場となる横桟が、避難時に避難者の姿勢が背後に傾くことを考慮して、前記横桟の上面を形成する平板部と、前記平板部の幅方向の両端から、いずれも梯子部材の前面側にかつ下方に向けて傾斜しさせて設けた２つの傾斜板部と、前記２つの傾斜板部の端部に垂設され前記横桟の前面及び背面となる２つの垂直板部と、前記２つの垂直板部を連結して横桟の底面となる平板部とが、一体成型されてなる長尺の筒状体であるので、前記平板部と前面側の傾斜面部との２面が背後に傾いた姿勢によって傾斜した避難者の足裏に痛みを感じさせない面積が確保され、横桟の幅を従来より減少させられ、コンパクトに短縮して収納できる避難用梯子が構成できる。
特に避難用ハッチに装着する避難用梯子として、より好ましい。
【００１０】
〈２〉前記避難用梯子の足場となる横桟が、その上面の平板部に滑り止めの溝を、梯子部材の前面側に位置する傾斜板部に滑り止めの凸条を設けているので、避難時に足裏が滑り梯子を踏み外すおそれがなく、安全に階下に避難できる。
【００１１】
〈３〉前記筒状である横桟の中空部内に底面を形成する平板部から、前記柱材に設けられた板状の横桟取付部を前記横桟の両端部に挿入する際の挿入溝を形成する突起が設けられており、前記柱材と横桟との結合が、横桟左右両端の前記挿入溝へ前記一対の柱材の横桟取付部をそれぞれ挿入しその後のねじ止めのみで行え、量産が容易で安価な避難用梯子の製造に寄与できる。
【００１２】
〈４〉前記横桟の前面を形成する垂直板部の下端部に、延伸降下した避難用梯子を巻き上げて短縮する際、後方に位置する梯子部材の横桟が前方に位置する梯子部材の横桟の下面に当接して順次下段から押し上げて短縮できるよう、前方に向かって２〜４ｍｍ突出した突出部を備えているので、使用した避難用梯子の巻き上げ短縮がスムーズに実施できる。
【図面の簡単な説明】
【００１３】
【図１】本考案の避難用梯子横桟の斜視図
【図２】図１のＡ−Ａ断面図
【図３】本考案の横桟使用の梯子部材一実施例の正面図（ａ）と上面図（ｂ）
【図４】本考案の横桟使用の避難用梯子を短縮したときの横桟の重なり状態を示す断面図
【考案を実施するための形態】
【００１４】
本考案を実施するための形態を、実施例の図に基づいて説明する。
図１は本考案の避難用梯子横桟の斜視図、図２は図１のＡ−Ａ断面図、図３本考案の横桟使用の梯子部材一実施例の正面図（ａ）と上面図（ｂ）、図４は本考案の横桟使用の避難用梯子を短縮したときの横桟の重なり状態を示す断面図である。
図において１は梯子部材、２は柱材、３は横桟、３ａ上面となる平板部、３ｂ前面側の傾斜板部、３ｂ’は背面側の傾斜板部、３ｃは前面の垂直板部、３ｃ’は背面の垂直板部、３ｄは底面となる平板部、３ｅは突出部、３１はすべり止め溝、３２はすべり止め凸条、３３は突起、３４は挿入溝、３５はねじ挿通孔を示す。
【００１５】
本考案の避難用梯子の足場となる横桟３は、図１、図２に示すように、前記横桟３の上面を形成する平板部３ａと、前記平板部３ａの幅方向の両端から、いずれも梯子部材１（図２参照）の前面方向にかつ下方に向けて傾斜させて設けられた２つの傾斜板部、前面傾斜板部３ｂ及び背面傾斜面部３ｂ’と、前記２つの傾斜板部３ｂ、３ｂ’の端部に垂設され前記の横桟の前面及び背面となる２つの垂直板部３ｃ、３ｃ’と、前記２つの垂直板部３ｃ、３ｃ’を連結して横桟の底面となる平板部３ｄとが一体成型されてなる長尺の筒状体である。
この形状は、常時は短縮して保管され、又は避難用ハッチ内に収納される避難用梯子の嵩を縮小し、保管スペースの削減と軽量化を図るため、避難時に避難者の姿勢が背後に傾き前記横桟３には足裏が傾斜した状態で当接することに鑑みて考案されたものである。
そして、前記上面を形成する平板部３ａには滑り止め溝３１が、前面傾斜板部３ｂには滑り止めの凸条３２が設けられている。
【００１６】
さらに前記横桟３の筒状体内部には、底面を形成する平板部３ｄから前記柱材２に設けられた板状の横桟取付部を前記横桟３の両端部に挿入する際の挿入溝３４を形成する突起３３が突設されている。
【００１７】
また、前記横桟３の前面を形成する垂直板部３ｃの下端部に、延伸降下した避難用梯子を巻き上げて短縮する際、後方に位置する梯子部材１の横桟３が前方に位置する梯子部材１の横桟３の底面部に当接して最下段の梯子部材１が順次上段の梯子部材１を押し上げつつ短縮できるよう、前方に向かって２〜４ｍｍ突出した突出部３ｅを備えている。
そしてこの突出部３ｅが当接する部分の底面部３ｄは前記突出部３ｅの厚み分窪めてあるので、図４に示すように、本考案の横桟３を用いた避難用梯子を短縮した際、その底面部に段差を生じさせることなく収納できる。
【００１８】
本考案の横桟３と左右一対の柱材との接合は、前記横桟３の中空部内に突設された突起３３によって構成された挿入孔３４（図２に二点鎖線で示す部分）前記柱材２に設けられた板状の横桟取付部（図示せず）を挿入し、背面の垂直面部３ｃ’の両端部近傍に穿設されたねじを挿通孔を介して前記柱材２の横桟取付部のねじ孔にねじを螺着して行う。したがって左右一対の柱材２と横桟３とからなる梯子部材１はねじ２本によって容易に組み立てられ、前記避難用梯子の製造経費の削減にも寄与できる。
【符号の説明】
【００１９】
１：梯子部材
２：柱材
３：横桟
３ａ：上面となる平板部
３ｂ：前面側の傾斜板部
３ｂ’：背面側の傾斜板部
３ｃ：前面の垂直板部
３ｃ’：背面の垂直板部
３ｄ：底面となる平板部
３ｅ：突出部
３１：すべり止め溝
３２：すべり止め凸条
３３：突起
３４：挿入溝
３５：ねじ挿通孔
【図１】
0003173071.tif 000003
【図２】
0003173071.tif 000004
【図３】
0003173071.tif 000005
【図４】
0003173071.tif 000006